(57)【要約】【課題】生ごみ処理機において、操作部を操作して蓋を自動で開かせるための蓋開力生成部のスペースを削減可能とし、部品削減によるコスト削減を可能とすること。【解決手段】本体に対して回動自在に設けた蓋と、前記本体と蓋とを施錠する尾錠と、前記蓋を開けるための蓋開操作部と、前記蓋を開方向に付勢する同軸の複数バネ５３、５４と案内棒５５とで構成された蓋開力生成部とを備え、前記蓋開操作部を操作することにより、自動的に前記尾錠を開錠して前記蓋開力生成部により蓋を開ける構成としたもので、複数のバネ５３、５４を同軸に配することにより、蓋内における蓋開力生成部のスペースを削減可能とし、複数のバネ５３、５４に対する部品が共用となり、部品削減によるコスト削減を可能とした生ごみ処理機を提供できる。【選択図】図４
2007117822.tif 000002
【特許請求の範囲】
【請求項１】
厨芥を収納する収納部を有する本体と、前記厨芥を加熱する加熱手段と、前記本体に対して回動自在に設けた蓋と、前記本体と蓋とを施錠する尾錠と、前記蓋を開けるための蓋開操作部と、前記蓋を開方向に付勢する同軸に配された複数のバネと案内棒とで構成された蓋開力生成部とを備え、前記蓋開操作部を操作することにより、自動的に前記尾錠を開錠して前記蓋開力生成部により蓋を開ける構成とした生ごみ処理機。
【請求項２】
蓋開力生成部は案内棒を備え、前記案内棒の外周に内バネを配し、前記内バネの外周に外バネを配する構成とした請求項１記載の生ごみ処理機。
【請求項３】
蓋開力生成部を蓋のヒンジ部に設け、前記蓋開力生成部の内バネ、外バネの軸は蓋回動軸に対し平行になるように配置した請求項２記載の生ごみ処理機。
【請求項４】
蓋開力生成部の内バネは力作用部の反対側に設けたバネ支持部をヒンジ部に設けた孔に通すことで支持する構成とした請求項３記載の生ごみ処理機。
【請求項５】
蓋開力生成部の内バネ、外バネの各力作用部は蓋の中心軸に対し、対称となるよう、前記蓋のベース部に設けたバネ取付用孔に取り付ける構成とした請求項４記載の生ごみ処理機。
【発明の詳細な説明】
【技術分野】
【０００１】
本発明は台所等で出る生ごみを処理する生ごみ処理機に関するものである。
【背景技術】
【０００２】
従来の生ごみ処理機を、図５、図６、図７を用いて説明する。図５は従来の生ごみ処理機の断面図、図６は従来の生ごみ処理機の蓋内部平面図、図７は従来の生ごみ処理の蓋断面図である。図５、図６、図７において、１は生ごみ処理機本体、２は生ごみを収納する生ごみ収納部で、底面に生ごみを攪拌する攪拌羽根３を備えている。この生ごみ収納部２の上部に生ごみを加熱するヒータからなる加熱手段４を配してある。加熱手段４は加熱用ヒータ５および加熱ファン６から構成され、熱風を生ごみに当てて生ごみの表面を加熱乾燥する。なお加熱ファン６は加熱モータ７により回転駆動される。
【０００３】
また、生ごみ収納部２の上方に吸気口８が設けられており、この吸気口８は生ごみ収納部２を介して連結通路９を通じて脱臭手段１０に接続されている。脱臭手段１０は加熱されて臭気を脱臭する触媒（図示なし）と、触媒を加熱する触媒加熱ヒータ１２で構成し、触媒を介して臭気を脱臭し、排気口１３より外部に排出する排気手段１４（排気ファン１５、排気モータ１６、冷却ファン１７）から構成されている。生ごみ処理機本体１内には制御回路１８、攪拌羽根３を駆動する駆動装置１９を設けてある。
【０００４】
また、蓋２０と生ごみ処理機本体１は尾錠５により施錠され、生ごみ処理機が運転状態に入る。
【０００５】
上記従来生ごみ処理機において、尾錠２３を解除することで、蓋２０が自動的に開状態となり、生ごみ収納部２に生ごみを投入あるいは乾燥処理後の生ごみを生ごみ収納部２から取り出す。このとき、蓋２０を自動的に開状態させるための蓋開力を生成するために、単バネあるいは各別箇所、別軸に配置した複数のバネＡ２１、バネＢ２２を使用している（例えば、特許文献１参照）。
【特許文献１】特開平１０−３４１１１号公報
【発明の開示】
【発明が解決しようとする課題】
【０００６】
しかしながら上記従来の生ごみ処理機は、蓋を自動的に開状態させるための蓋開力を生成するために、単バネあるいは各別箇所、別軸に配置した複数バネを使用しているため、バネ配置により蓋内のスペースが多く必要とすると共に各バネに対する部品を個々に必要となりコストが高いという課題を有していた。また、蓋ベース部の中心軸に対して蓋開力が均等に近い関係とならず、蓋開力による蓋のずれ、変形、傾き等が発生するという課題を有していた。
【０００７】
本発明は複数バネ配置により蓋内のスペースが多く必要とする、あるいは、各バネに対する部品を個々に必要とすることによるコストが高くなるという課題を解決すると共に蓋ベース部の中心軸に対して蓋開力が均等に近い関係とし、蓋開力による蓋のずれ、変形、傾き等が発生するという課題を解決した生ごみ処理機を提供するものである。
【課題を解決するための手段】
【０００８】
上記従来の問題を解決するために、本発明は、厨芥を収納する収納部を有する本体と、前記厨芥を加熱する加熱手段と、前記本体に対して回動自在に設けた蓋と、前記本体と蓋とを施錠する尾錠と、前記蓋を開けるための蓋開操作部と、前記蓋を開方向に付勢する同軸に配された複数のバネと案内棒とで構成された蓋開力生成部とを備え、前記蓋開操作部を操作することにより、自動的に前記尾錠を開錠して前記蓋開力生成部により蓋を開ける構成としたことにより、蓋内における蓋開力生成部のスペースを削減可能とし、各複数バネに対する部品が共用となるため、部品削減によるコスト削減を可能とする共に、蓋ベース部の中心軸に対して蓋開力が均等に近い関係とし、蓋開力による蓋のずれ、変形、傾き等の問題を解決した生ごみ処理機を提供できる。
【発明の効果】
【０００９】
本発明の生ごみ処理機は、蓋を自動オープンするための蓋開力生成部において各複数バネを同軸にすることにより、蓋内における蓋開力生成部のスペースを削減可能とし、各複数バネに対する部品が共用となるため、部品削減によるコスト削減を可能とする共に、蓋ベース部の中心軸に対して蓋開力が均等に近い関係とし、蓋開力による蓋のずれ、変形、傾き等の問題を解決した生ごみ処理機を提供できる。
【発明を実施するための最良の形態】
【００１０】
第１の発明は、厨芥を収納する収納部を有する本体と、前記厨芥を加熱する加熱手段と、前記本体に対して回動自在に設けた蓋と、前記本体と蓋とを施錠する尾錠と、前記蓋を開けるための蓋開操作部と、前記蓋を開方向に付勢する同軸に配された複数のバネと案内棒とで構成された蓋開力生成部とを備え、前記蓋開操作部を操作することにより、自動的に前記尾錠を開錠して前記蓋開力生成部により蓋を開ける構成としたもので、蓋を自動オープンするための蓋開力生成部において各複数バネを同軸にすることにより、蓋内における蓋開力生成部のスペースを削減可能とし、各複数バネに対する部品が共用となるため、部品削減によるコスト削減が可能となる。
【００１１】
第２の発明は、前記蓋開力生成部は案内棒の外周に内バネを有し、前記内バネの外周に外バネを有する構成としたもので、蓋を自動オープンするための蓋開力生成部において案内棒、内バネ、外バネを同軸にすることにより、蓋内における蓋開力生成部のスペースを削減可能とし、内バネ、外バネに対する取り付け部品が案内棒１つとなるため、部品削減によるコスト削減が可能となる。
【００１２】
第３の発明は、前記蓋開力生成部は蓋のヒンジ部に設け、前記蓋開力生成部の前記内バネ、外バネの軸は蓋回動軸に対し、平行になるように配置したもので、回動軸に蓋開力の負担を低減すると共に蓋回動軸を複雑な構成とせずに済むため、蓋開力による蓋のずれ、変形、傾き等の問題を解決し、部品削減によるコスト削減が可能となる。
【００１３】
第４の発明は、前記蓋開力生成部の前記内バネは力作用部の反対側に設けたバネ支持部を前記ヒンジ部に設けた孔に通すことで支持する構成としたもので、内バネの支持が容易であると共に内バネおよびヒンジ部が容易な形状で良く、他部品を必要としないため、内バネ支持構成のコスト削減が可能となる。
【００１４】
第５の発明は、前記蓋開力生成部の前記内バネ、外バネの各力作用部は前記蓋の中心軸に対し、対称関係になるよう、前記蓋のベース部に設けたバネ取付用孔に取り付ける構成としたもので、蓋開力が蓋ベース部の中心軸に対し、均等に近い関係で分配することが可能となるため、蓋開力による蓋のずれ、変形、傾き等の問題を解決することが可能となる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における生ごみ処理機の蓋内部平面図を示すものである。図２は、同、生ごみ処理機の蓋断面図を示すものである。図３は、同、生ごみ処理機の蓋断面図におけるヒンジ部断面図を示すものである。図４は同、生ごみ処理機のヒンジ部を示すものである。蓋以外の本体に関しては、従来図である図５と同じであり、生ごみを収納する生ごみ収納部２で、底面に生ごみを攪拌する攪拌羽根３を備えている。図２において、生ごみ収納部２の上部に生ごみを加熱するヒータからなる加熱手段３４を配してある。加熱手段３４は加熱用ヒータ３５および加熱ファン３６から構成され、熱風を生ごみに当てて生ごみの表面を加熱乾燥する。なお加熱ファン３６は加熱モータ３７により回転駆動される。
【００１７】
また、図５の従来の生ごみ処理機と同じく、生ごみ収納部２の上方に吸気口５９が設けられており、この吸気口５９は生ごみ収納部２を介して連結通路４８を通じて脱臭手段１０に接続されている。脱臭手段１０は加熱されて臭気を脱臭する触媒（図示せず）と、触媒を加熱する触媒加熱ヒータ１２で構成し、触媒を介して臭気を脱臭し、排気口１３より外部に排出する排気手段１４（排気ファン１５、排気モータ１６、冷却ファン１７）から構成されている。生ごみ処理機本体１内には制御回路１８、攪拌羽根１３を駆動する駆動装置１９を設けてある。
【００１８】
図１、図２、図３において、蓋４１と生ごみ処理機本体は尾錠４２により施錠され、生ごみ処理機が運転状態に入る。蓋開操作部４３を操作することで、尾錠４２を解除し、
蓋が自動的にオープンする構成となっている。
【００１９】
図１〜図４において、蓋４１は、主に、内蓋４４、蓋パッキン４５等を取り付けるための取付金具４６、尾錠４２の軸５８と蓋回動軸５２の両方を有する蓋フレーム４７、２つの絞り部品で構成する連結パイプ４８、ヒンジ４９、継ぎパイプ５０、ヒンジ軸５１で構成されている。ヒンジ４９には蓋回動軸５２に平行に内バネ５３、外バネ５４、案内棒５５で構成する蓋開力生成部を取り付けている。内バネ５３の支持部５３ａは直線棒形状となっており、ヒンジ４９に設けた孔４９ａに通すことで、内バネ５３を支持する構成となっている。外バネ５４の支持部５４ａは屈曲形状となっており、ヒンジ４９に設けた切り欠き部（図示せず）に配置することで、外バネ５４を支持する構成となっている。案内棒５５は両端にＥリング６０を取り付けることで、ヒンジ４９に固定している。内バネ５３、外バネ５４の力作用部５３ｂ、５４ｂは蓋フレーム４７に設けたバネ取付用孔４７ａに引っ掛ける構成となっている。ここで、本実施の形態では、蓋フレーム４７、外バネ５４、内バネ５３が金属製であるため、蓋フレーム４７に設けたバネ取付孔４７ａに樹脂製のバネ受け５７を取り付け、外バネ５４、内バネ５３の力作用部５３ｂ、５４ｂはバネ受け５７の面で接触する構成となっている。本実施例では外バネ５４、内バネ５３と蓋フレーム４７に設けたバネ取付孔４７ａ（バネ受け５７）の接触面が平面形状であるが、この接触面を曲面あるいは曲面と平面を組み合わせた形状にすることは可能である。
【００２０】
ヒンジ４９が回動すると、外バネ５４、内バネ５３の力作用部５４ｂ、５３ｂはバネ取付孔４７ａ（バネ受け５７）との接触面上でスライド移動する。このバネ取付孔４７ａ（バネ受け５７）との接触面を上記のように傾斜面、曲面あるいは曲面と平面を組み合わせた形状などにすることで、外バネ５４、内バネ５３特性を変化することが可能となる。
【００２１】
以上のように構成された生ごみ処理機について、以下動作、作用、効果を説明する。
【００２２】
厨芥を収納する収納部２を有する本体１と、厨芥を加熱する加熱手段２４を有し、かつ本体１に対して回動自在に本体１に設けた蓋４１と、蓋４１を自動オープンするために同軸の複数バネで構成する蓋開力生成部を備えたもので、蓋４１を自動オープンするための蓋開力生成部において各複数バネを同軸にすることにより、蓋４１内における蓋開力生成部のスペースを削減可能とし、各複数バネに対する部品が共用となるため、部品削減によるコスト削減が可能となる。
【００２３】
蓋開力生成部は案内棒５５の外周に内バネ５３を有し、内バネ５３の外周に外バネ５４を有する構成としたもので、蓋４１を自動オープンするための蓋開力生成部において案内棒５５、内バネ５３、外バネ５４を同軸にすることにより、蓋４１内における蓋開力生成部のスペースを削減可能とし、内バネ５３、外バネ５４に対する取り付け部品が案内棒５５のみとなるため、部品削減によるコスト削減が可能となる。
【００２４】
蓋開力生成部は蓋４１のヒンジ４９部に設け、蓋開力生成部の内バネ５３、外バネ５４の軸は蓋回動軸５２に対し、平行になるように配置したもので、蓋回動軸５２に蓋開力の負担を低減すると共に蓋回動軸５２を複雑な構成とせずに済むため、蓋開力による蓋のずれ、変形、傾き等の問題を解決し、部品削減によるコスト削減が可能となる。
【００２５】
蓋開力生成部の内バネ５３は力作用部５３ｂの反対側に設けた内バネ支持部５３ａをヒンジ４９部に設けた孔４９ａに通すことで支持する構成としたもので、内バネ５３の支持が容易であると共に内バネ５３およびヒンジ４９部が容易な形状で良く、他部品を必要としないため、内バネ５３支持構成のコスト削減が可能となる。
【００２６】
蓋開力生成部の内バネ５３、外バネ５４の各力作用部５３ｂ、５４ｂは蓋４１の中心軸に対し、対称関係になるよう、蓋４１の蓋フレーム４７に設けたバネ取付用孔４７ａに取り付ける構成としたもので、蓋開力が蓋フレーム４７の中心軸に対し、均等に近い関係で分配することが可能となるため、蓋開力による蓋のずれ、変形、傾き等の問題を解決することが可能となる。
【００２７】
蓋フレーム４７に設けたバネ取付用孔４７ａにおける内バネ５３、外バネ５４の各力作用部５３ｂ、５４ｂとの接触面は、平面形状かつ曲面形状としたもので、接触面を様々な平面形状あるいは曲面形状を組み合わせることで、内バネ５３、外バネ５４特性を接触面形状により変化することが可能となり、バネ形状を複雑な形状としなくても、接触面形状により欲するバネ特性を得ることができると共にバネのコスト削減も可能となる。
【００２８】
本実施の形態では、蓋４１のヒンジ４９部に内バネ５３、外バネ５４で構成される蓋開力生成部を設けたが、蓋開力生成部を本体側および蓋ベース部である蓋フレーム４７に設けることも可能である。また、蓋開力生成部は蓋４１のヒンジ４９部に設け、蓋開力生成部の内バネ５３、外バネ５４の軸は蓋回動軸５２に対し、平行になるように配置したが、内バネ５３、外バネ５４の軸を蓋回動軸５２自体に設けることも可能である。
【００２９】
以上のように、本実施の形態では、蓋を自動オープンするための蓋開力生成部において各複数バネを同軸にすることにより、蓋内における蓋開力生成部のスペースを削減可能とし、各複数バネに対する部品が共用となるため、部品削減によるコスト削減を可能とする共に、蓋ベース部の中心軸に対して蓋開力が均等に近い関係とし、蓋開力による蓋のずれ、変形、傾き等の問題を解決した生ごみ処理機を提供できる。
【産業上の利用可能性】
【００３０】
以上のように、本発明にかかる生ごみ処理機は、蓋を自動で開かせるための蓋開力生成部において各複数バネを同軸にすることにより、蓋内における蓋開力生成部のスペースを削減可能とし、各複数バネに対する部品が共用となるため、部品削減によるコスト削減を可能とする共に、蓋ベース部の中心軸に対して蓋開力が均等に近い関係とし、蓋開力による蓋のずれ、変形、傾き等の問題を解決することができるので、電化製品の蓋を開閉機構等の用途にも適用できる。
【図面の簡単な説明】
【００３１】
【図１】本発明の実施の形態１における生ごみ処理機の蓋内部平面図
【図２】同、生ごみ処理機の蓋断面図
【図３】同、生ごみ処理機の蓋ヒンジ部断面図
【図４】（ａ）本発明の実施の形態１における生ごみ処理機の蓋ヒンジ部の正面図（ｂ）同、蓋ヒンジ部の側面図
【図５】従来の生ごみ処理機断面図
【図６】従来の生ごみ処理機の蓋内部平面図
【図７】従来の生ごみ処理の蓋断面図
【符号の説明】
【００３２】
４１    蓋
４７    蓋フレーム
４７ａ  バネ取付用孔
４９    ヒンジ
５２    蓋回動軸
５３    内バネ（蓋開力生成部）
５３ａ  内バネ支持部
５４    外バネ（蓋開力生成部）
５５    案内棒（蓋開力生成部）
【図１】
2007117822.tif 000003
【図２】
2007117822.tif 000004
【図３】
2007117822.tif 000005
【図４】
2007117822.tif 000006
【図５】
2007117822.tif 000007
【図６】
2007117822.tif 000008
【図７】
2007117822.tif 000009